(57)【要約】【課題】  形状が可変なカメラ付き携帯電子機器において、ユーザの撮影スタイルに応じて適切なカメラ設定を自動的に選択する。【課題を解決するための手段】  筐体１５，１６の形状モード（開いている、閉じている）ごとに、その形状モードでの撮影スタイルに合ったカメラ設定を登録しておく。カメラ１１を使うとき、筐体１５，１６の現在の形状モードを検出し、検出された形状モードに対応したカメラ設定を選択し使用する。筐体の形状モードからユーザの撮影スタイルが推定できるので、推定された撮影スタイルに適したカメラ設定が選択できる。カメラ設定には、画像サイズ（解像度）や画質や連続撮影枚数などの撮影方法に関する設定と、画像データの保存場所の設定とが含まれる。【選択図】  図２
2005277737.tif 000002
【特許請求の範囲】
【請求項１】
相互位置関係が可変に結合された複数の筐体部品を有し異なる形状モードに変形可能な筐体と、前記筐体に設けられ異なるカメラ設定に従って撮影が行える電子制御式のカメラと、前記カメラを制御する機能を持つ制御装置と、前記制御装置への情報の入力と前記制御装置からの情報の表示のためのユーザインタフェース装置と、前記カメラにより撮影された画像を記憶する画像記憶装置とを備えた携帯電子機器において、
前記筐体の現在の形状モードを検出する形状モード検出部と、
各形状モードに対応するカメラ設定を定義したカメラ設定データを記憶した設定記憶部とを更に備え、
前記制御部が、前記形状モート゛検出部に応答して、前記設定記憶部内の前記カメラ設定データに基づき、前記筐体の現在の形状モードに対応した前記カメラ設定を選択し、前記選択されたカメラ設定に従って撮影を行うように前記カメラを制御することを特徴とする携帯電子機器。
【請求項２】
請求項１記載の携帯電子機器において、前記各設定データにより設定される前記各形状モードに対応する前記カメラ設定には、静止画撮影か動画撮影かのカメラモード、画像サイズ、画質及び連続撮影枚数のうちの少なくとも１つの項目の設定をもつ撮影方法の設定が含まれ、
前記制御装置は、前記設定データに基づいて、前記筐体の現在の形状モードに対応した前記撮影方法の設定を選択し、前記選択された撮影方法の設定に含まれる前記少なくとも１つの項目の設定に従って、前記カメラの撮影動作を制御することを特徴とする携帯電子機器。
【請求項３】
請求項１又は２記載の携帯電子機器において、前記設定データにより設定される前記各形状モードに対応する前記カメラ設定には、保存場所の設定が含まれ、
前記制御装置は、前記設定データに基づいて、前記筐体の現在の形状モードに対応した前記保存場所の設定を選択し、前記選択された保存場所の設定により指定される前記画像記憶装置内の場所に、前記カメラにより撮影された画像を保存することを特徴とする携帯電子機器。
【請求項４】
請求項１乃至２記載の携帯電子機器において、前記ユーザインタフェース装置は、前記各形状モードに対応した前記カメラ設定をユーザに入力させる手段を有し、
前記制御装置は、前記ユーザインタフェース装置に応答して、前記ユーザにより入力された前記各形状モードに対応した前記カメラ設定を定義した前記設定データを生成し、生成された前記設定データを前記設定記憶装置に格納することを特徴とする携帯電子機器。
【発明の詳細な説明】
【技術分野】
【０００１】
本発明は、デジタルカメラを搭載した携帯電子機器に関する。
【背景技術】
【０００２】
特許文献１に示すようなデジタルカメラを搭載した携帯電子機器、例えば携帯電話機が広く普及している。デジタルカメラの性能向上により、携帯電話機に装備された液晶表示器よりも高解像度の画像を撮影可能となっている。多くの携帯電話機の機種では、その筐体は、開閉可能なように蝶番で結合された２つの筐体部品から構成され、開いたモードと閉じたモードの２つの形状モードに変形可能である。そして、開いたモードでも閉じたモードでも撮影ができように、カメラのレンズは筐体の外側の表面に取り付けられていたり、或いは、筐体の外側にも内側にも向くように回転可能に取り付けられていたりする。
【０００３】
ユーザは、このような携帯電話機で写真を撮影するとき、多くの場合、携帯電話機を通話時と同様に開いたモードにした上で、その開いた携帯電話機を片手で掴んでシャッターボタンを押す。しかし、この片手の撮影スタイルは、手ぶれが起き易いため、高解像度（大画像サイズ）の撮影には不向きである。この撮影スタイルは、携帯電話機の液晶表示器に表示するだけが目的の低解像度（小画像サイズ）の撮影には問題ない。他方、携帯電話機を閉じたモードにして、これを両手で持って撮影を行う場合には、手ぶれが起きにくいから、高解像度の撮影に向いている。
【特許文献１】特開２００３−２９８６８２号公報
【発明の開示】
【発明が解決しようとする課題】
【０００４】
このように撮影目的によって、最適な撮影スタイルが異なる。しかし、しかし、従来の携帯電話機では、カメラを起動したときに選択されるカメラ設定（例えば、画像サイズや画質などの撮影方法の設定）は、撮影スタイルに関わらず共通である。そのため、ユーザは、カメラの起動後、撮影の目的に応じてカメラ設定を変更しなければならない場合が少なくない。これは、ユーザにとり不便であり、また、最適なシャッターチャンスを逃す原因にもなる。
【０００５】
携帯電話機に限らず、デジタルカメラ専用機やビデオカメラ専用機やカメラ付きPDA（Personal
Digital Assistance）などの種々の携帯電子機器においても、複数の撮影スタイルに適用可能なように筐体が変形可能である製品が知られている。これらの製品においても、同様の問題がある。
【０００６】
従って、本発明は、カメラ付き携帯電子機器において、ユーザの撮影スタイルに応じて適切なカメラ設定を自動的に選択することにある。
【課題を解決するための手段】
【０００７】
上記問題を解決する為、本発明に従うカメラ付きの携帯電子機器は、筐体の現在の形状モードを検出し、検出された形状モードに応じてカメラ設定を選択する。筐体の形状モードからユーザの撮影スタイルが推定できるので、推定された撮影スタイルに適したカメラ設定が選択できる。好ましくは、ユーザが、筐体の形状モードごとに所望のカメラ設定を登録しておくことができる。このような登録の一例は、開いたモードに対応して、片手の撮影スタイルに適した低解像度撮影用のカメラ設定を登録し、閉じたモードに対応して、両手の撮影スタイルに適した低解像度撮影用のカメラ設定を登録することである。また、カメラ設定には、撮影方法の設定だけなく、撮影された写真の画像データを保存するための保存場所の設定も含ませることができる。これにより、例えば、高解像度撮影用のカメラ設定で撮影された高解像度の画像データと、低解像度撮影用のカメラ設定で撮影された低解像度の画像データを、自動的に別のフォルダに保存することができる。
【０００８】
本発明の一つの側面に従えば、相互位置関係が可変に結合された複数の筐体部品を有し異なる形状モードに変形可能な筐体と、前記筐体に設けられ異なるカメラ設定に従って撮影が行える電子制御式のカメラと、前記カメラを制御する機能を持つ制御装置と、前記制御装置への情報の入力と前記制御装置からの情報の表示のためのユーザインタフェース装置と、前記カメラにより撮影された画像を記憶する画像記憶装置とを備えた携帯電子機器において、前記筐体の現在の形状モードを検出する形状モード検出部と、各形状モードに対応するカメラ設定を定義したカメラ設定データを記憶した設定記憶部とを更に備え、前記制御部が、前記形状モート゛検出部に応答して、前記設定記憶部内の前記カメラ設定データに基づき、前記筐体の現在の形状モードに対応した前記カメラ設定を選択し、前記選択されたカメラ設定に従って撮影を行うように前記カメラを制御することを特徴とする携帯電子機器が提供される。
【０００９】
一つの実施形態に従えば、前記各設定データにより設定される前記各形状モードに対応する前記カメラ設定には、静止画撮影か動画撮影かのカメラモード、画像サイズ、画質及び連続撮影枚数のうちの少なくとも１つの項目の設定をもつ撮影方法の設定が含まれる。そして、前記制御装置は、前記設定データに基づいて、前記筐体の現在の形状モードに対応した前記撮影方法の設定を選択し、前記選択された撮影方法の設定に含まれる前記少なくとも１つの項目の設定に従って、前記カメラの撮影動作を制御する。
【００１０】
この実施形態に従えば、前記設定データにより設定される前記各形状モードに対応する前記カメラ設定には、さらに、保存場所の設定が含まれる。そして、前記制御装置は、前記設定データに基づいて、前記筐体の現在の形状モードに対応した前記保存場所の設定を選択し、前記選択された保存場所の設定により指定される前記画像記憶装置内の場所に、前記カメラにより撮影された画像を保存する。
【００１１】
この実施形態に従えば、前記ユーザインタフェース装置は、前記各形状モードに対応した前記カメラ設定をユーザに入力させる手段を有する。そして、前記制御装置は、前記ユーザインタフェース装置に応答して、前記ユーザにより入力された前記各形状モードに対応した前記カメラ設定を定義した前記設定データを生成し、生成された前記設定データを前記設定記憶装置に格納する。
【発明の効果】
【００１２】
本発明によれば、携帯電子機器の形状モードが変わると、カメラ設定が自動的に切り換わる。ユーザは、携帯電子機器の形状モードを選択することで、所望のカメラ設定を用いて写真撮影を行うことができる。
【発明を実施するための最良の形態】
【００１３】
まず図１は、携帯電話機として構成された本発明に従う携帯電子機器の第１の実施形態の内部構成を示す。なお、携帯電話機は説明のための例示にすぎず、本発明が携帯電話機だけでなく、デジタルカメラ専用機、ビデオカメラ専用機及びPDA（Personal Digital Assistance）等の様々な携帯電子機器に適用できることは言うまでもない。
【００１４】
図１において、符号１はアンテナ、符号２は音声信号や映像信号の送受信を行う無線回路、符号３は符号復号処理部、符号４はマイク、符号５は受話用スピーカを示す。符号６はLCD（Liquid Crystal Display）などの表示部、符号７は番号や文字を入力するダイヤルキーや、カーソルの移動指示や機能選択を行うための機能キー等のキー入力部を示す。表示部６とキー入力部７は、この携帯電話機のユーザインタフェース装置を構成する。なお、表示部６は、表示機能と入力機能を兼ねるタッチパネル式のものであってもよい。この場合、ユーザは表示部６を指またはペンによりタッチすることにより、文字入力や機能選択を行うことができる。これにより、キー操作に慣れていないユーザであっても、容易に入力操作を行うことができる。
【００１５】
符号８はRAM等の記憶部を示す。符号９はＣＰＵなどの制御部を示す。符号１０は着信用スピーカを示す。符号１１はデジタルカメラのような電子制御式のカメラを示す。符号１２は開閉検出部を示す。
【００１６】
アンテナ１は、空中を伝送されてきた電波を受信し、高周波電気信号に変換し、無線回路２に入力する。また、アンテナ１は、無線回路２から出力された高周波電気信号を電波に変換して送信する。無線回路２は、制御部９の指示に基づき、アンテナ１で受信した高周波電気信号を復調し、符号復号処理部３に入力する。また無線回路２は、符号復号処理部３の出力信号に変調処理を施し、高周波電気信号に変換してアンテナ１に出力する。
【００１７】
符号復号処理部３は、制御部９の制御に従って無線回路２の出力信号に復号処理を施し、音声データは受話用スピーカ５に出力し、文字や画像データは制御部９に出力する。また、符号復号処理部３は、マイク４から入力されたユーザの声またはユーザがキー入力部７を操作して編集した文字や画像データに符号化処理を施し、無線回路２を通じてアンテナ１から送信する。
【００１８】
制御部９は、符号復号処理部３，無線回路２及びアンテナ１を使用して着信待ちを行う。着信があった場合、制御部９は、着信用スピーカ１０からアラーム等の着信音またはメロディを発してユーザに着信があったことを通知すると共に、発信元の電話番号または電子メールアドレスを表示部６に表示する。そして、ユーザがキー入力部７を操作することにより、通話または受信した電子メールが閲覧できるように、制御部９は、符号復号処理部３，無線回路２，表示部６を制御する。
【００１９】
開閉検出部１２は、この携帯電話機の筐体の現在の形状モードを検出する。すなわち、この携帯電話機の筐体は、相互の位置関係が可変なように結合された２つの筐体部品から構成されており、開いたモードと閉じたモードを含む複数の形状モードに変形可能である。開閉検出部１２は、この筐体の現在の形状モードが開いたモードであるか閉じたモードであるかを検出する。開閉検出部１２は、筐体部品に設けられ、例えば、２つの筐体部品が開いているか閉じているかによってオン状態かオフ状態に切り替わるようになった回路であり、そのオン状態の時とオフ状態の時の信号がそれぞれ開いたモードと閉じたモードの検出信号である。開閉検出部１２の検出信号は、制御部９に入力される。
【００２０】
カメラ１１は、制御部９の制御の下で動作する。カメラ１１のレンズは、携帯電話機の筐体の外表面上の箇所であって、開いたモードであっても閉じたモードであっても撮影可能な箇所に取り付けられている。カメラ１１のシャッターボタンなどの操作キーには、キー入力部７内のキーが割り当てられる。カメラ１１は、静止画撮影モードと動画撮影モードの２つのカメラモードをもっていてよい。
【００２１】
記憶部８は、図1では簡単に1つのブロックで示されているが、実際には、複数種類の記憶装置を含んでいる。記憶部８に含まれる一つの種類の記憶装置は、制御部９の制御方法の記憶や処理の一時記憶に使用される内蔵メモリである。記憶部８のこの内蔵メモリには各種のデータ記憶されるが、その中の一種に、写真撮影に関するカメラ設定データがある。この携帯電話機の筐体の各形状モード、つまり開いたモードと閉じたモードの各々に対応したカメラ設定データがある。各形状モードに対応したカメラ設定データには、カメラ１１の撮影動作を制御するための撮影方法を定義した撮影方法の設定データと、撮影された画像を保存する場所を指定した保存場所の設定データが含まれる。さらに、撮影方法の設定データには、例えば、静止画撮影か動画撮影かのカメラモード、保存される画像のピクセルサイズ（画像サイズ）、保存される画像の品質（画質）、連写撮影の有無、連写撮影枚数、飾りフレームの有無等の諸項目の設定データが含まれている。記憶部８内のカメラ設定データが記憶されている部分を、以下、「カメラ設定記憶部」８Aという。
【００２２】
記憶部８に含まれる別の種類の記憶装置として、撮影された画像データを保存するためのものがある。以下、画像データの保存に用いられる記憶部８の部分を、「画像データ記憶部」８Bという。画像データ記憶部８Bには、この携帯電話機の内蔵メモリやリムーバブルな外部記憶装置（半導体メモリ、ハードディスクなど）が使用され得る。上述したカメラ設定データ中の保存場所の設定データは、内蔵メモリ及び外部記憶装置を含む画像データ記憶部８B内の任意の記憶場所（例えば、任意のフォルダへのパス）を指定することができる。
【００２３】
ユーザがキー入力部７に対してカメラ１１を起動するための一定の操作を行うと、制御部９は、カメラ１１を起動し、開閉検出部１２からの検出信号により現在の形状モードを検知し、そして、検出された現在の形状モードに対応したカメラ設定データをカメラ設定記憶部８Aから読み込んでそのカメラ設定データを撮影制御処理部（つまり、制御部９内の写真撮影を制御するためのプログラム又は回路）に自動的に設定する。例えば、閉じたモードに対応して高解像度の大きい画像サイズが設定されており、開いたモードに対応して表示部６と同じ低解像度の小さい画像サイズが設定されているならば、現在の筐体が閉じたモードになっている時には、制御部９は、撮影された画像を大きい画像サイズで保存するように設定を行い、現在の筐体が開いたモードになっている時には、小さい画像サイズで保存するように設定を行う。その後、ユーザがキー入力部７内のシャッターボタンに割り当てられたキーを押すと、制御部９は、設定されたカメラ設定データにより指定される撮影方法に従ってカメラ１１の撮影動作を制御し、そして、カメラ１１から出力された画像データを、設定されたカメラ設定データにより指定される画像記憶部８Ｂ内の場所（例えばフォルダ）に保存する。
【００２４】
ユーザがキー入力部７を操作してカメラ設定用メニューの表示を要求すると、制御部９は、記憶部８に予め記憶されているカメラ設定用メニューを表示する。このメニューには、形状モードごとに上述したカメラ設定の各項目の設定を選択する（入力する）ための複数のサブメニューが含まれている。ユーザがキー入力部７を操作して形状モードごとにサブメニューから各項目の所望の設定を選択すると、制御部９は、選択された設定を定義した設定データを発生して、これを当該形状モードに対応する当該項目の設定データとして、カメラ設定記憶部８Ａに格納する。
【００２５】
図２は、この携帯電話機の外観を示す。
【００２６】
図２において、符号１から１２の部品については、図１で既に説明した。符号１３は自分自身を撮影する時に、中心位置を合わせる為の鏡を示す。符号１４は撮影のための補助ライトである。符号１５は第１の筐体部品であり、符号１６は第２の筐体部品である。図２Ａは、この携帯電話機が開いたモードである時の第１の筐体部品１５と第２の筐体部品１６の位置関係を示しておいる。図２Ａで矢印に示す方向へ第１の筐体部品１５と第２の筐体部品１６をスライドさせると、図２Ｂ（正面から見た斜視図）及び図２Ｃ（背面から見た斜視図）に示すように、第１の筐体部品１５と第２の筐体部品１６が重なり合って、携帯電話機はコンパクトで持ち運びに便利な閉じたモードに変わる。開いたモードでは、キー入力部７の全部が外部に現れ、通話やキー操作に便利である。キー入力部７のうち一部のキーは、開いたモードでも閉じたモードでも外部に現れ、これらのキーには、閉じたモードでカメラ１１を使用するためのキーが含まれる。携帯電話機が開いたモードであるか閉じたモードであるかは、開閉検出部１２により検出される。開閉検出部１２には、種々のスイッチ又はセンサが採用できる。例えば、第１の筐体部品１５に磁石、第２の筐体部品１６に磁気センサを配置し、磁気センサの出力電圧或いは電流値で携帯電話機の開閉モードを検出しても良い。或いは、２つの筐体部品１５、１６が重なり合う事により、第１の筐体部品１５に配置した第１の接点と第２の筐体部品１６に配置した第２の接点が物理的に接触する事により、携帯電話機の開閉しても良い。
【００２７】
開いたモードで写真撮影を行う場合、ユーザの撮影スタイルは通常、携帯電話機を縦向きにして片手で持つスタイルとなる。閉じたモードで写真撮影を行う場合、撮影スタイルは通常、携帯電話機を横向きにして両手で持つスタイルとなる。そこで、ユーザは、開いたモードに対応して片手持ちの撮影スタイルに合ったカメラ設定をカメラ設定記憶部８Ａに登録しておき、閉じたモードに対応して両手持ちの撮影スタイルに合ったカメラ設定をカメラ設定記憶部８Ａに登録しておくことができる。それにより、制御部９は、開閉検出部１２で検知された形状モードから推測出来る撮影スタイルに応じて自動的にカメラ設定データを切り換える。ユーザは、撮影目的に応じて撮影スタイルを切り換えるとき、それに合わせて携帯電話機の形状モードを切り換えるが、これに応答して撮影目的に合ったカメラ設定が自動的に選択される。ユーザが手動でカメラ設定を変更する必要はない。
【００２８】
図３は、表示部６に表示されるカメラ設定を登録するためのメニューの例を示す。
【００２９】
図３Ａは、カメラ設定の各項目に対応するサブメニューを選択するためのメニュー画面（サブメニュー選択画面）５０を示す。ここでは、カメラモード設定５１、画像サイズ５２、画質選択５３、フレーム選択５４、連写設定５５、端末開閉状態設定５６、設定切換機能５７、保存場所５８などのサブメニューが選択できる。
【００３０】
図３Ａのサブメニュー選択画面５０で、カメラモード設定５１を選択すると、表示は図３Ｂに示すカメラモード設定用のサブメニュー画面（カメラモード設定画面）６０に移行する。カメラモード設定画面６０では、静止画を撮影するPHOTOモード６１、動画を撮影するMOVIEモード６２、バーコードを読み解読するバーコード認識６３が選択出来る。カメラモード設定画面６０でいずれかのカメラモードが選択されると、表示は、図３Ａに示したサブメニュー選択画面５０に切り換わる。この時、選択したカメラモードに応じて、サブメニュー選択画面５０内のサブメニューの種類が変化しても良い。図３Ａのサブメニュー選択画面５０は、PHOTOモード（静止画撮影モード）が選択された場合の例であり、この例を使って説明する。
【００３１】
図３Ａのサブメニュー選択画面５０で画像サイズ５２を選択すると、表示は図３Ｃに示す画像サイズを設定するためのサブメニュー画面（画像サイズ設定画面）７０に移行する。画像サイズ設定画面７０では、カメラ１１から出力される画像データの保存時の画像サイズが選択できる。例えば、電子メールに添付する用途向けの携帯サイズ７１、携帯電話機の表示部６のピクセルサイズに合わせた待ち受けサイズ７２、VGA(Video Graphics Array)サイズ７３、XGA(eXtended Graphics Array)サイズ７４、SXGA(Super
XGA)サイズ７５が選択できる。これらは例示であり、この他に、例えば表示部が複数存在する場合には、それぞれの表示部に合わせた画像サイズが設定できても良いし、さらに多くの種類の画像サイズが設定できてもよい。
【００３２】
図３Ａのサブメニュー選択画面５０で画質選択５３を選択すると、表示は図３Ｄに示す画質を設定するためのサブメニュー画面（画質設定画面）８０に移行する。画質設定画面８０では、カメラ１１から出力される画像データの保存時の画質（例えば、ＪＰＥＧ形式のような非可逆圧縮形式で保存する場合の圧縮率）が設定できる。例えば、SUPER FINE（最高画質、最低圧縮率、ファイルサイズ大）８１、FINE（高画質、低圧縮率、ファイルサイズ中）８２、NORMAL（中画質、中圧縮率、ファイルサイズ小）８３の３段階から所望のものが選択できる。ユーザが撮影目的によって画質とファイルサイズを選択することができるので、使い勝手が良い。
【００３３】
図３Ａのサブメニュー選択画面５０でフレーム選択５４を選択すると、表示は図３Ｅに示す飾りフレームのソース（記憶場所）を選択するためのサブメニュー画面（フレーム設定画面）８５に移行する。フレーム選択設定画面８５では、被写体画像に重ね合わせる飾りフレーム画像のソースが選択できる。例えば、この携帯電話機に最初から登録されている飾りフレーム群の記憶場所を選択するための固定フレーム８６、この携帯電話の購入後にユーザが任意に登録した飾りフレーム群の記憶場所（データフォルダ）を選択するためのデータフォルダ８７、飾りフレームを付けないことを意味する飾りフレーム無し８８が選択できる。
【００３４】
図３Ａのサブメニュー選択画面５０で連写設定５５を選択すると、表示は図３Ｆに示す連写機能を設定するためのサブメニュー画面（連写設定画面）９０に移行する。連写設定画面９０では、シャッターボタンを押している間に自動的に連続して画像を撮影する場合の撮影枚数と速度が設定できる。例えば、１秒間に１５枚の撮影を行う高速９１、１秒間に９枚の撮影を行う中速９２、１秒間に６枚の撮影を行う低速９３、連写機能を使用しないことを意味する連写OFF９４が設定可能である。
【００３５】
図３Ａのサブメニュー選択画面５０で保存場所５６を選択すると、表示は図３Ｇに示す保存場所を設定するためのメニュー画面(保存場所設定画面）１０９に移行する。保存場所設定画面１０９では、撮影された写真の画像データが保存されるべき画像記憶部８Ｂ内の記憶場所（フォルダ）を設定することができる。例えば、保存フォルダ選択１１０を選択すると、既に存在するフォルダのリストが表示部６に表示され、そのリストの中からユーザが所望のフォルダを保存場所として選択することができる。また、フォルダ作成１１１、フォルダ変更１１２及びフォルダ削除１１３をそれぞれ選択すると、既に存在するフォルダのリストが表示部６に表示され、そのリスト上でユーザは新規フォルダの作成、既存フォルダの名称又はパスの変更及び削除をそれぞれ行うことができる。
【００３６】
図３Ａのサブメニュー選択画面５０で撮影スタイル５７を選択すると、表示は図３Ｈに示す撮影スタイルを選択するためのメニュー画面（撮影スタイル設定画面）１００に移行する。撮影スタイル設定画面１００では、上述した図３Ｂから図Ｇに示すサブメニュー画面を用いて設定される各種項目の設定内容が、開きモードと閉じモードのどちらの形状モード（撮影スタイル）に対応するカメラ設定に反映されるかが選択される。例えば、開きモードの設定１０１を選択すれば、上述したサブメニュー画面による設定内容が、開きモードに対応するカメラ設定として設定記憶部８Ａに登録されることになり、閉じモードに設定１０２を選択すれば、閉じモードに対応するカメラ設定として登録されることになる。また、共通設定１０３を選択した場合は、開きモードと閉じモードに共通のカメラ設定として登録されることになる。また、設定内容確認１０４を選択した場合は、現時点で設定されている開きモードと閉じモードのそれぞれのカメラ設定の内容が表示部６に表示される。
【００３７】
図３Ａのサブメニュー選択画面５０で設定切換機能５８が選択されると、表示は図３Ｉに示すカメラ設定切り換え端末の開閉状態から想定される撮影スタイルによって、カメラ設定を切り換え機能を選択するためのサブメニュー画面（設定切換設定画面１０５）に移行する。設定切換設定画面１０５では、開きモード用と閉じモード用のカメラ設定を自動的に切り換える機能を有効にするか無効にするか、及び有効にする場合には切り換えのトリガとなるイベントを設定することができる。例えば、カメラ起動時のみ１０６を選択すれば、カメラ１１の起動時にのみ、その時点の形状モードに対応したカメラ設定が制御部９のカメラ制御に設定され、以後カメラ１１が動作状態にある限り、形状モードが変化してもカメラ設定は変更されない。常に開閉連動１０７を選択すれば、カメラ１１の起動時のみでなく、カメラが動作している間常に、形状モードの変化に従ってカメラ設定が自動的に切り換えられる。常に無効１０８を選択した場合、形状モードに関係なく、上述した共通のカメラ設定が使用される。
【００３８】
なお、撮影スタイル５７と設定切換機能５８の間では、設定切換機能５８の設定の方が優先される。例えば、切換機能設定画面１０５で常に無効１０８が既に選択されている場合、撮影スタイル設定画面１００では、開きモードの設定１０１と閉じモードの設定１０２は選ぶことができないようになる。或いは、この場合に、開きモードの設定１０１または閉じモードの設定１０２が選択されても、共通設定１０３が選択されたと動的にみなされるようにしても良い。
【００３９】
図４及び図５は、カメラ設定記憶部８Ａ内のデータ構成例を示す。図４は、カメラ設定の諸項目とカメラ設定記憶部８Ａ内のカメラ設定データとの間の対応表である。
【００４０】
図４において、符号１２０は、カメラ設定のサブメニュー項目であり、図３Ａに示したサブメニュー選択画面５０で選択可能な、カメラモード設定５１、画像サイズ５２、画質選択５３、フレーム選択５４、連写設定５５、保存場所５６、撮影スタイル５７、設定切換機能５８、に対応した項目である。符号１２１は、図３Ｂから図３Ｉに示したサブメニュー画面で設定可能な詳細な設定項目である。符号１２２は、詳細な設定項目のそれぞれに対応した設定コードである。これらの設定コードの中から各形状モードに対応してユーザに選択されたものが、各形状モードのカメラ設定データの設定値として、カメラ設定記憶部８Ａに記憶される。符号１２３は、開きモードに対応するカメラ設定データを保存するためのカメラ設定記憶部６Ａ内のアドレスである。符号１２４は、閉じモードに対応するカメラ設定データを保存するためのカメラ設定記憶部６Ａ内のアドレスである。符号１２５は、直前のカメラ設定データ（ユーザが最後に使用したカメラ設定データ）を保存するためのカメラ設定記憶部６Ａ内のアドレスである。
【００４１】
図５はカメラ設定記憶部８Ａに保存されたカメラ設定データの構成例を示す。
【００４２】
図５において、符号１３０は、カメラ設定の詳細な設定項目であり、符号１３１は、その設定内容の例である。符号１３２は、それぞれの設定内容の設定コードを保持するカメラ設定記憶部８Ａ内のアドレスであり、符号１３３は、その設定コードである。符号１３４は、開きモードに対応するカメラ設定データを示し、符号１３５は閉じモードに対応するカメラ設定データを示している。符号１３６は、直前のカメラ設定データ（ユーザが最後に使用したカメラ設定データ）を示している。この例においては、ユーザが最後にカメラ１１を使用したカメラ設定データは、閉じモードのカメラ設定データと同じ値となっている。
【００４３】
図６は、制御部９が行う撮影制御のフローを示す。
【００４４】
図６に示すように、カメラ１１が起動されると(S１)、制御部９は、まず設定切換機能が有効か否かを判断する(S２)。設定切換機能が有効でないと判断した場合は(S２ No)、制御部９は、直前のカメラ設定データ（ユーザが最後にカメラ機能を使用した際のカメラ設定データ）を記憶部８から読み込んで制御部９内の撮影制御機能に設定する(S６)。
【００４５】
S２で設定切換機能設定画面１０５にて共通設定１０８が選択されておらず、設定切換機能が有効であると判断された場合(S２でYes)、制御部９は、開閉検出部１２の出力により、筐体が現在開きモードであるか閉じモードであるかを判断する(S３)。その結果、閉じモードであれば(S３
Yes)、制御部９は、閉じモードのカメラ設定データを記憶部８から読み込んで制御部９内の撮影制御機能に設定し(S４)、記憶部８内の直前のカメラ設定データを閉じモードのカメラ設定データで更新し(S７)、そして、撮影待ち状態に移行する(S８)。
【００４６】
S３の結果開きモードであれば(S３ No)、制御部９は、開きモードのカメラ設定データを記憶部８から読み込んで制御部９内の撮影制御機能に設定し
(S５)、記憶部８内の直前のカメラ設定データを開きモードのカメラ設定データで更新し (S７)、そして撮影待ち状態に移行する(S８)。
【００４７】
撮影待ち状態(S８)において、形状モードの変化が検知された場合(S９)、制御部９は、設定切換機能が常に開閉連動になっているか否かを判断する(S１０)。設定切り換え機能が常に開閉連動であれば(S１０
Yes)、制御部９は、さらに現在の形状モードが開きモードか閉じモードかを検知する(S１１)。その結果、携帯電話機が開かれたのであれば(S１１ No)、制御部９は、開きモードのカメラ機能設定値を制御部９内の撮影制御機能に設定し(S１３)、記憶部８内の直前のカメラ設定データを開きモードのカメラ設定データで更新し(S１４)、そして、撮影待ち状態に移行する(S１５)。一方、携帯電話機が閉じられたのであれば(S１１
Yes)、制御部９は、閉じモードのカメラ設定データを制御部９内の撮影制御機能に設定し(S１２) 、記憶部８内の直前のカメラ設定データを閉じモードのカメラ設定データで更新し
(S１４)、そして、撮影待ち状態に移行する(S１５)。
【００４８】
S１０で設定切換機能が常に開閉連動でなければ(S１０ No)、制御部９は、形状モードが変わっても、制御部９内の撮影制御機能に設定されたカメラ設定データを変えず、撮影待ち状態に移行する(S１５)。
【００４９】
このように本実施形態では、携帯電話機の形状モードにそれぞれに対応したカメラ設定データを保持することが出来、携帯電話機の現在の形状モードに合わせ、撮影制御に使用するカメラ設定データを、ユーザの使用目的に合ったものに自動的に変更することが可能である。
【００５０】
なお、設定切換機能が有効無効に問わず、ユーザは手動によって、現在制御に使用されるカメラ設定データを任意に変更することが可能である。しかし、変形例として、設定切換機能が有効である時には、ユーザの手動による設定変更を不可能とし、自動設定されたカメラ設定データを必ず使用するようにしても良い。
【００５１】
次に図７を用いて、本発明の第２の実施形態にかかる形態電話機について説明する。
【００５２】
図７は第２の実施形態にかかる携帯電話機の外観図である。図７において、図２に示した第１の実施形態にかかる例における携帯電話機と機能的に同等の部品には、同一記号を付し、重複する説明は省く。
【００５３】
図７において、符号１から１６は、第１の実施形態で既に説明した。符号１７は副表示部、符号１８はヒンジである。この携帯電話機では、第１の筐体部品１５と第２の筐体部品１６がヒンジ１８で結合され、折り畳み自在な形状をしている。図７Ａが、開きモードを示しており、図７ＢとＣが閉じモードを示している。開閉検出部１２による形状モードの検出方法は、第１の実施形態と同様でも良いし、或いは一方の筐体部品に突起を設け、他方の筐体部品にリミットスイッチを設け、携帯電話機が折り畳まれるとリミットスイッチが突起で押されるようにしてもよい。この携帯電話機においても、第１の実施形態と同様にカメラ設定の制御が適用できる。
【００５４】
上述した２つの実施形態のように２つの形状モードをもつ機器だけでなく、３つ以上の形状モードを持つ機器においても、３つ以上の形状モードに対して（或いは、そのうちの２つ以上の形状モードに対して）異なるカメラ設定を本発明の原理に従って適用することができる。
【図面の簡単な説明】
【００５５】
【図１】本発明の第１の実施形態にかかる携帯電話機の内部構成を示すブロック図。
【図２】この携帯電話機の外観を示す斜視図であり、図２Ａは開いたモードを正面から見た斜視図、図２Ｂは閉じたモードを正面から見た斜視図、及び図２Ｃは閉じたモードを背面から見た斜視図。
【図３】表示部６に表示されるカメラ設定を登録するためのメニューの例を示す図。
【図４】カメラ設定の諸項目とカメラ設定記憶部８Ａ内のカメラ設定データとの間の対応を示す図。
【図５】カメラ設定記憶部８Ａに保存されたカメラ設定データの構成例を示す図。
【図６】制御部９が行う撮影制御のフローチャート。
【図７】本発明の第２の実施形態にかかる携帯電話機の外観を示す斜視図であり、図７Ａは開いたモードを正面から見た斜視図、図７Ｂは閉じたモードを正面から見た斜視図、及び図７Ｃは閉じたモードを背面から見た斜視図。
【符号の説明】
【００５６】
１…アンテナ、２…無線回路部、３…符号復号処理部、４…マイク、５…受話用スピーカ、６…表示部、７…キー入力部、８…記憶部、８Ａ…カメラ設定記憶部、８Ｂ…画像記憶部、９…制御部、１０…着信用スピーカ、１１…カメラ、１２…開閉検出部、１３…データ変換部、１４…カメラ用補助ライト、１５…第１の筐体部品、１６…第２の筐体部品、５０…サブメニュー選択画面、５１…カメラモード設定、５２…画像サイズ、５３…画質選択、５４…フレーム選択、５５…連写設定、５６…保存場所、５７…撮影スタイル面、５８…設定切換機能、６０…カメラモード設定画面、６１…PHOTOモード、６２…MOVIEモード、６３…バーコード認識、７０…画像サイズ設定画面、７１…携帯サイズ、７２…待ち受けサイズ、７３…VGAサイズ、７４…XGAサイズ、７４…SXGAサイズ、８０…画質設定画面、８１…SUPER
FINE、８２…FINE、８３…NORMAL、８５…フレーム設定画面、８６…固定フレームから選択、８７…データフォルダから選択、８８…飾りフレーム無し、９０…連写設定画面、９１…高速、９２…中速、９３…低速、９４…連写OFF、１００…撮影スタイル設定画面、１０１…開きモードの設定、１０２…閉じモードの設定、１０３…共通設定、１０４…設定内容確認、１０５…設定切換機能設定画面、１０６…カメラ起動時のみ、１０７…常に開閉連動、１０８…常に無効、１０９…保存場所設定画面、１１０…保存フォルダ選択、１２０…メニュー項目、１２１…設定項目、１２２…設定コード、１２３…開きモード設定アドレス、１２４…閉じモード設定アドレス、１２５…直前のカメラ設定アドレス、１３０…設定項目、１３１…設定内容、１３２…設定アドレス、１３３…設定値、１３４…開きモードカメラ設定データ、１３５…閉じモードカメラ設定データ、１３６…直前のカメラ設定データ
【図１】
2005277737.tif 000003
【図２】
2005277737.tif 000004
【図３】
2005277737.tif 000005
【図４】
2005277737.tif 000006
【図５】
2005277737.tif 000007
【図６】
2005277737.tif 000008
【図７】
2005277737.tif 000009